(57)【要約】【課題】本発明は、クサビで固定した杭は、丁張り作業の際に、少し大きな力がかかって引っ張られると動いてしまい、何度もやり直さなければならないことがない丁張り装置を提供する。【解決手段】第１丁張り装置５と第２丁張り装置６とを有し、第１丁張り装置５は、上面基板７と該上面基板の両端より垂下して取り付けられた脚部８と、脚部に取り付けられた脚部間の挟み間隔を変更する押圧具１０と、前記上面基板上に設けられた取付部１１と、該取付部に挿入され垂直方向へ立設された長さ変更可能な丁張り部材１２と、を備え、第２丁張り装置６は、上面基板７と該上面基板の両端より垂下して取り付けられた脚部８と、脚部に取り付けられた脚部間の挟み間隔を変更する押圧具１０と、前記上面基板に取り付けられた糸張り治具１８と、を備え、前記糸張り治具１８は、上下左右方向に微調整可能にして上面基板に取り付けられたことを特徴とする。【選択図】  図１
2020204152.tif 000002
【特許請求の範囲】
【請求項１】
第１丁張り装置と第２丁張り装置とを有し、
第１丁張り装置は、上面基板と該上面基板の両端より垂下して取り付けられた脚部と、脚部に取り付けられた脚部間の挟み間隔を変更する押圧具と、前記上面基板上に設けられた取付部と、該取付部に挿入され垂直方向へ立設された長さ変更可能な丁張り部材と、を備え、
第２丁張り装置は、上面基板と該上面基板の両端より垂下して取り付けられた脚部と、脚部に取り付けられた脚部間の挟み間隔を変更する押圧具と、前記上面基板に取り付けられた糸張り治具と、を備え、
前記糸張り治具は、上下左右方向に微調整可能にして上面基板に取り付けられた、
ことを特徴とする丁張り装置。
【請求項２】
前記第１丁張り装置の丁張り部材は、切断可能な部材で形成された、
ことを特徴とする請求項１記載の丁張り装置。
【請求項３】
前記第２丁張り装置は、上面基板の側面を構成する一対の上面基板ユニットと脚部の側面を構成する一対の脚部ユニットとを連結部材で連結して構成した上面基板・脚部形成部材を使用した、
ことを特徴とする請求項１または請求項２記載の丁張り装置。
【発明の詳細な説明】
【技術分野】
【０００１】
本発明は、例えば、トンネル内においてプレキャスト監視員通路壁を施工する際などに使用される丁張り装置に関するものである。
【背景技術】
【０００２】
丁張りとは、例えば、構造物構築工事に着手する前に、建物の正確な位置を出す作業を指標し、別名、水盛り・遣り方とも言う。そして、丁張り装置とは、丁張りの際に用いられる建物を建てるために施工する、基準となる仮設工作物をいう。
具体的には、建物の水平方向の高さ、建物の配置、壁・柱の位置などを規定するための装置である。
【０００３】
従来、特に、トンネル内でプレキャスト監視員通路壁を設置するときに必要な丁張り装置を所定の位置に設置する場合には、設置するための特別な工夫が必要となっていた。
【０００４】
すなわち、通常の土木工事などでは地面に角材等の杭を打って、該杭を丁張り装置として使用し、丁張りを行うが、トンネル内においては、通常すでに地面は舗装されていて、土の部分地面がない。よって、そのまま地面に杭を打つことが出来ないものであった。そのため、例えば、すでに埋設してある円形水路の開口部（スリット）を利用し、この開口部（スリット）に杭を差してクサビで固定し、これを丁張り装置の取付部として使用していた。
【先行技術文献】
【特許文献】
【０００５】
【特許文献１】特開２０１６−２１７１００号公報
【発明の概要】
【発明が解決しようとする課題】
【０００６】
しかしながら、クサビで固定した杭は、丁張り作業の際に、少し大きな力がかかって引っ張られると動いてしまい、何度もクサビで固定し直さなければならないとの課題があった。
【課題を解決するための手段】
【０００７】
本発明による丁張り装置は、
第１丁張り装置と第２丁張り装置とを有し、
第１丁張り装置は、上面基板と該上面基板の両端より垂下して取り付けられた脚部と、脚部に取り付けられた脚部間の挟み間隔を変更する押圧具と、前記上面基板上に設けられた取付部と、該取付部に挿入され垂直方向へ立設された長さ変更可能な丁張り部材と、を備え、
第２丁張り装置は、上面基板と該上面基板の両端より垂下して取り付けられた脚部と、脚部に取り付けられた脚部間の挟み間隔を変更する押圧具と、前記上面基板に取り付けられた糸張り治具と、を備え、
前記糸張り治具は、上下左右方向に微調整可能にして上面基板に取り付けられた、
ことを特徴とし、
または、
前記第１丁張り装置の丁張り部材は、切断可能な部材で形成された、
ことを特徴とし、
または、
前記第２丁張り装置は、上面基板の側面を構成する一対の上面基板ユニットと脚部の側面を構成する一対の脚部ユニットとを連結部材で連結して構成した上面基板・脚部形成部材を使用した、
ことを特徴とするものである。
【発明の効果】
【０００８】
本発明による丁張り装置は、前記従来の課題を解消するために創案されたものであり、クサビで固定した杭は、丁張り作業の際に、少し大きな力がかかって引っ張られると動いてしまい、何度もやり直さなければならないことがないとの優れた効果を奏するものである。
【図面の簡単な説明】
【０００９】
【図１】本発明の使用状態を説明する説明図である。
【図２】第１丁張り装置の構成を説明する説明図（１）である。
【図３】第１丁張り装置の構成を説明する説明図（２）である。
【図４】第１丁張り装置の構成を説明する説明図（３）である。
【図５】第２丁張り装置の構成を説明する説明図（１）である。
【図６】第２丁張り装置の構成を説明する説明図（２）である。
【発明を実施するための形態】
【００１０】
図１はトンネル１内でプレキャスト監視員通路壁２を設置する状態を表した概略図である。図１において、上面にスリット３を有する円形水路４が埋設されており、このスリット３と円形水路４の上側面を利用して丁張り装置を取り付けている。
【００１１】
本発明で使用される丁張り装置は２種類である。すなわち第１丁張り装置５と第２丁張り装置６である。
【００１２】
第１丁張り装置５は、上面基板７と該上面基板７の両端から垂下する１対の脚部８により形成された固定部９を有している。そして、脚部８には押圧具１０が設けられ、例えば、該固定部９の脚部８間において何らかの取付体（例えば円形水路のスリット３と円形水路４の上側面）に挟み込む様設置した後、前記押圧具１０を作動させて前記何らかの取付体を強固に挟み付け固定する。
【００１３】
図２から理解されるように、上面基板７には、上方に向かって立設された中空管状の取付部１１が設けられている。図２には四角形状の中空部を有する中空管状の取付部１１が示されているが、この形状に限定されるものではない。
【００１４】
ここで、この取付部１１の中空部には、長尺の丁張り部材１２が差し込まれて立設される。そして、この丁張り部材１２の先端部分で構築する構築部材の高さを規定するものとなる。
【００１５】
前記丁張り部材１２は、簡単に切断できる部材、木材などが使用される。施工する構造物の高さが各々異なっていても迅速に対応しなければならないからである。すぐに切断できれば高さの変更に対応できる。
しかしながら、丁張り部材１２の材質は、前記木材に限定されない。迅速に切断できる材質であれば良い。
【００１６】
また、取付部１１の側面からは、外周方向の異なる方向から少なくとも２箇所から固定具１３が取り付けられ、前記丁張り部材１２が取付部１１に強固に固定されるものとなる（図３参照）。
【００１７】
図４は、一対の脚部８で挟み込み固定する取付体の幅が比較的広い場合に使用する第１丁張り装置５を示す図面である。図に示すように、上面基板７は長い長方形状に形成され、その長手方向両端側に一対の脚部８が垂下して取り付けられている。これにより挟み込み固定する取付体の幅が比較的広い場合でも問題なく使用できる。
【００１８】
次に、図５、図６に、第２丁張り装置６の構成を示す。該第２丁張り装置６も第１丁張り装置５と同様に、上面基板７とこの上面基板７の両端から垂下する脚部８を有している。ただ、第１丁張り装置５と異なるのは、上面基板７及び一対の脚部８は、２枚の部材を連結して構成したことである。
【００１９】
すなわち、図６に示すように、上面基板７の側面を構成する一対の上面基板ユニット１４と脚部８の側面を構成する一対の脚部ユニット１６とを連結部材１５で連結して構成した上面基板・脚部形成部材１７を使用することにより、全体として強固な第２丁張り装置６としたものである。
尚、第２丁張り装置６は、前記構成に限定されるものではなく、例えば、１つの金属材を折曲して構成しても構わない。
【００２０】
ここで、前記一方側脚部８側に設置された連結部材１５には押圧具１０が取り付けられており、この第２丁張り装置６を所定の取付体に挟み込んで固定する際、押圧具１０を取付体側に押し込んで強固取付体に挟み込むことができる。
【００２１】
符号１８は、糸張り治具である。該糸張り治具１８は、一方側の上面基板ユニット１４に取り付けられている。図５、図６に示すように、糸張り治具１８は、略方形状をなし、その方形状の下端側からは三角形状の糸張り部１９が垂下するようにして設けられている。そして、糸張り部１９の頂角部には、凹状に凹む凹部２０が設けられ、該凹部２０に丁張り用の糸などの丁張り２１が係止できるように構成されている。
【００２２】
ところで、この糸張り治具１８は、例えばねじ状の取付部材２２によって、一方側の上面基板ユニット１４端部に取り付けられるが、前記上面基板ユニット１４にはねじ部２５より大きく円状に広がる大きな穴として構成された調節穴２３が設けられており、この調節穴２３に取付部材２２のねじ部２５を差し込んで固定することによって、前記糸張り治具１８の位置決めを微調整して取り付けることができるようになっている。尚、調節穴２３を出来るだけ大きく形成すれば、位置決めの微調整範囲も大きくとることが出来る。
【００２３】
つぎに、本発明の使用状態につき説明する。
始めに、２つの第１丁張り装置５を間隔をあけて設置する。例えば既に設置してある円形水路４のスリット３と該円形水路４の外側面２４を利用して両脚部８間に押圧具１０で締め付けて挟み込み、強固に固定する。
【００２４】
次に取付部１１に丁張り部材１２を嵌め込んで立設させる。そして、前記丁張り部材１２の先端部間に跨がって丁張り２１、すなわち丁張りの糸を張り、構築物、すなわち、プレキャスト監視員通路壁２の先端高さを正確に、迅速に規定する。
【００２５】
前記プレキャスト監視員通路壁２の一部が構築された後、構築されたプレキャスト監視員通路壁２の上端部に第２丁張り装置６をセットする。そして、構築する方向には第１丁張り装置５をセットする。その後、前記第２丁張り装置６と第１丁張り装置５間に丁張り２１、すなわち糸を張り、構築すべきプレキャスト監視員通路壁２の高さを正確に、迅速に規定する。
【００２６】
以上の作業を連続して行うことによりトンネル１内においてプレキャスト監視員通路壁２が完成される。
【符号の説明】
【００２７】
１    トンネル
２    プレキャスト監視員通路壁
３    スリット
４    円形水路
５    第１丁張り装置
６    第２丁張り装置
７    上面基板
８    脚部
９    固定部
１０  押圧具
１１  取付部
１２  丁張り部材
１３  固定具
１４  上面基板ユニット
１５  連結部材
１６  脚部ユニット
１７  上面基板・脚部形成部材
１８  糸張り治具
１９  糸張り部
２０  凹部
２１  丁張り
２２  取付部材
２３  調節穴
２４  円形水路の外側面
２５  ねじ部
【図１】
2020204152.tif 000003
【図２】
2020204152.tif 000004
【図３】
2020204152.tif 000005
【図４】
2020204152.tif 000006
【図５】
2020204152.tif 000007
【図６】
2020204152.tif 000008